(57)【特許請求の範囲】
【請求項１】
現像液で現像されたマスター表面の静電潜像化画像を乾燥・定着させるパネルヒータと、前記パネルヒータの表面に積層されかつ同パネルヒータの一端に位置させたウエブ巻取ボビンで巻き取られるクリーニングウエブとを備え、同クリーニングウエブによりマスター裏面の余剰液を吸着させる湿式製版機の定着装置において、前記ウエブ巻取ボビンを支持するボビン取付端及び指先で自由に回動できる手動操作端を有する巻取軸と、この巻取軸に嵌められかつ装置固定部の電磁ソレノイドで往復回動されるクラッチスリーブの一方向の回動運動のみを前記巻取軸に伝達する第１ワンウエイクラッチと、前記巻取軸に嵌められかつ前記手動操作端による前記巻取軸の巻き取り方向の強制回動を許容する第２ワンウエイクラッチとを備え、前記クリーニングウエブは、乾燥・定着パネルヒータの表面全体を覆った状態で緊張状態におかれかつ前記乾燥・定着パネルヒータの出口側に配置されるウエブ元巻ボビンから繰り出されて前記乾燥・定着パネルヒータの入口側に位置されるウエブ巻取ボビンに巻き取られることを特徴とする湿式製版機の定着装置。
【請求項２】
マスターの搬送路途中に配置された乾燥・定着パネルヒータと、中継ローラを経由して乾燥・定着パネルヒータの表面全体を覆った状態で緊張状態におかれかつ前記乾燥・定着パネルヒータの出口側に配置されるウエブ元巻ボビンから繰り出されて同乾燥・定着パネルヒータの入口側に位置されるウエブ巻取ボビンに巻き取られるクリーニングウエブとを備える湿式製版機の定着装置であって、前記ウエブ巻取ボビンを支持するボビン取付端及び指先で自由に回動できる手動操作端を有する巻取軸と、この巻取軸に嵌められかつ装置固定部の電磁ソレノイドで往復回動されるクラッチスリーブの一方向の回動運動のみを前記巻取軸に伝達する第１ワンウエイクラッチと、前記ボビン取付端に設けるボビン受けと前記ウエブ巻取ボビンとの間に介装されかつ同ボビン受けへの一定トルク以上のトルク伝達を防止するトルクリミッタと、前記巻取軸の駆動側スプロケットと前記中継ローラを回転させる従動側スプロケットとの間に掛け渡されかつ前記電磁ソレノイドによる歩進運動を同中継ローラに伝達するタイミングベルトと、前記巻取軸に嵌められかつ前記手動操作端による前記巻取軸の巻き取り方向の強制回動を許容する第２ワンウエイクラッチとを備えることを特徴とする湿式製版機の定着装置。
【発明の詳細な説明】
【０００１】
【発明の属する技術分野】
本発明は湿式製版機の定着装置に関し、特に、特願平９−８２０７４号出願及び特願平９−２８９０４６号出願の改良に関する。
【０００２】
【従来の技術】
周知のように、現像液でマスターの表面の静電潜像を現像する湿式製版機においては、現像装置で静電潜像を現像した後、リンス・スクイズ装置で余分な現像液を除去し、定着装置でトナー像を定着かつ乾燥させる。
【０００３】
図７はこのような湿式製版機の定着装置を示し、定着装置フレームＡにはマスターＸの搬送方向に整列した予熱側パネルヒータＢ及び乾燥側パネルヒータＣが配置され、図示を省略したリンス・スクイズ装置から取り込まれたマスターＸは中間搬送ローラＤ及び出口搬送ローラＥにより搬送される間に、その表面のトナー像の定着と乾燥が行われる。なお、図７の符号”Ｆ”はマスターＸを乾燥側パネルヒータの表面に密着させるための押えローラである。
【０００４】
【発明が解決しようとする課題】
ところで、このような構造の定着装置においては、リンス・スクイズ装置から水分を含んだ状態のマスターＸが取り込まれることになるが、特に、同マスターＸの裏面には、余剰トナーを含んだ液滴が付着した状態にある。
このため、予熱側パネルヒータＢ及び乾燥側パネルヒータＣによる余熱・乾燥の場合、マスターＸの裏面の余剰トナーが予熱側パネルヒータＢ及び乾燥側パネルヒータＣの表面ｂ，ｃに転写され、”カタマリ”状態に成長する。
この結果、予熱側パネルヒータＢ及び乾燥側パネルヒータＣの表面ｂ，ｃのコビリ付いた”カタマリ”にマスターＸの先端エッジが衝合し、”ジャム”の原因となったり、同”カタマリ”が唐突に予熱側パネルヒータＢ及び乾燥側パネルヒータＣの表面ｂ，ｃから剥離してマスターＸ表面に付着して非画像部を汚染したり、マスターＸ裏面に付着して排出されると、既にストッカー上に排出されているマスターに重なった時、同マスター表面に転写付着し、非画像部を汚染することがある。
【０００５】
このような事態が発生すると、オフセット印刷時にマスター上の汚染された部分がインキを引き、印刷物に”地汚れ”と称される印刷の汚れが生じる問題があった。
【０００６】
このため、本出願人は、マスターの搬送方向とは逆方向に歩進運動されるクリーニングウエブをパネルヒータの表面に積層し、同クリーニングウエブによりマスター裏面の余剰液を吸着させる湿式製版機の定着装置を特願平９−８２０７４号出願で提案した。即ち、このクリーニングウエブによると、マスターＸの裏面の”ヨゴレ”やパネルヒータの表面の汚損を防止できるが、この湿式製版機の定着装置においても、クリーニングウエブのセット時の取扱性に課題がある。
つまり、この湿式製版機の定着装置にあっては、パネルヒータの表面にクリーニングウエブを弛みなく張る必要があるけれども、前述した特許出願のインチング装置では、消費されたクリーニングウエブを新たなクリーニングウエブと取り替える場合、インチング装置の電磁ソレノイドを遠隔操作して、クリーニングウエブを緊張状態にセットすることになる。
【０００７】
しかしながら、このようなクリーニングウエブの遠隔操作は、非常に煩わしい操作となるばかりでなく、クリーニングウエブのユーザ取り替えを困難にするから、不慣れな者でも、新たなクリーニングウエブを弛みなく、緊張状態にセットできる構造を特願平９−２８９０４６号出願で提案した。
ところが、この特願平９−２８９０４６号出願の定着装置は、定着装置が予熱側パネルヒータと乾燥側パネルヒータとに分割される形式の構造に限定されるから、前述したクリーニングウエブによる利点をもつ比較的小型の定着装置には、直ちに適用できない問題を含んでいる。
【０００８】
本発明の第１の目的は、以上に述べたような従来の湿式製版機の定着装置の問題に鑑み、クリーニングウエブの利点であるパネルヒータ表面の汚損防止、マスターの”ジャム”頻度低下、余剰トナーによるマスター表面の汚染阻止効果を充分に発揮させて、不慣れな者でも、新たなクリーニングウエブを弛みなく、緊張状態にセットできる比較的小型の定着装置を得るにある。
また、本発明の第２の目的は、前記第１の目的を達成できる湿式製版機の定着装置であって、クリーニングウエブの巻径に拘りなく、一定割合でクリーニングウエブを歩進できる湿式製版機の比較的小型の定着装置を得るにある。
【０００９】
【課題を解決するための手段】
前記第１の目的を達成するため、本発明は、現像液で現像されたマスター表面の静電潜像化画像を乾燥・定着させるパネルヒータと、前記パネルヒータの表面に積層されかつ同パネルヒータの一端に位置させたウエブ巻取ボビンで巻き取られるクリーニングウエブとを備え、同クリーニングウエブによりマスター裏面の余剰液を吸着させる湿式製版機の定着装置において、前記ウエブ巻取ボビンを支持するボビン取付端及び指先で自由に回動できる手動操作端を有する巻取軸と、この巻取軸に嵌められかつ装置固定部の電磁ソレノイドで往復回動されるクラッチスリーブの一方向の回動運動のみを前記巻取軸に伝達する第１ワンウエイクラッチと、前記巻取軸に嵌められかつ前記手動操作端による前記巻取軸の巻き取り方向の強制回動を許容する第２ワンウエイクラッチとを備え、前記クリーニングウエブは、乾燥・定着パネルヒータの表面全体を覆った状態で緊張状態におかれかつ前記乾燥・定着パネルヒータの出口側に配置されるウエブ元巻ボビンから繰り出されて前記乾燥・定着パネルヒータの入口側に位置されるウエブ巻取ボビンに巻き取られる湿式製版機の定着装置を提案するものである。
【００１０】
また、前述した第２の目的は、本発明によれば、マスターの搬送路途中に配置された乾燥・定着パネルヒータと、中継ローラを経由して乾燥・定着パネルヒータの表面全体を覆った状態で緊張状態におかれかつ前記乾燥・定着パネルヒータの出口側に配置されるウエブ元巻ボビンから繰り出されて同乾燥・定着パネルヒータの入口側に位置されるウエブ巻取ボビンに巻き取られるクリーニングウエブとを備える湿式製版機の定着装置であって、前記ウエブ巻取ボビンを支持するボビン取付端及び指先で自由に回動できる手動操作端を有する巻取軸と、この巻取軸に嵌められかつ装置固定部の電磁ソレノイドで往復回動されるクラッチスリーブの一方向の回動運動のみを前記巻取軸に伝達する第１ワンウエイクラッチと、前記ボビン取付端に設けるボビン受けと前記ウエブ巻取ボビンとの間に介装されかつ同ボビン受けへの一定トルク以上のトルク伝達を防止するトルクリミッタと、前記巻取軸の駆動側スプロケットと前記中継ローラを回転させる従動側スプロケットとの間に掛け渡されかつ前記電磁ソレノイドによる歩進運動を同中継ローラに伝達するタイミングベルトと、前記巻取軸に嵌められかつ前記手動操作端による前記巻取軸の巻き取り方向の強制回動を許容する第２ワンウエイクラッチとを備える湿式製版機の定着装置により達成される。
【００１１】
【実施例】
以下、図１から図６について本発明の実施例の詳細を説明する。
図１から図４は本発明の第１実施例を示し、図１は本発明を施した湿式製版機である。即ち、図１において、真空吸着ヘッド１によってマスター載置台２から１枚ずつ取り出されたマスターＸは、帯電器３を通った後、露光ステージ４に搬送され、同露光ステージ４に停止された状態で、原稿台５上の原稿６の光学像を投影するミラー７及び撮影レンズ８により原稿像を静電潜像化される。
【００１２】
そして、静電潜像化されたマスターＸは現像液スプレー９ａをもつ現像装置９でトナー現像され、顕像化されたマスターＸはリンス・スクイズ装置１０に供給されて、余分な現像液が除去され、詳細を後述する図２示の定着装置１１に搬送され、この定着装置１１でトナー像を定着かつ乾燥された後、排紙トレー１２上に取り出されることになる。
【００１３】
図２は図１に示された定着装置１１の詳細を示し、この定着装置１１は、定着装置フレーム１３に対してはマスターＸの搬送方向に隣り合った状態の乾燥・定着パネルヒータ１４が支持されている。図示は省略するけれども、これらの乾燥・定着パネルヒータ１４には電熱ヒータがそれぞれ付設され、これらの電熱ヒータにより乾燥・定着パネルヒータ１４が加熱されることになる。
【００１４】
また、前記定着装置フレーム１３には、乾燥・定着パネルヒータ１４上へマスターＸを取り込む入口搬送ローラ１５及び同乾燥・定着パネルヒータ１４から乾燥されたマスターＸを排出する出口搬送ローラ１６が支持され、これらの入口搬送ローラ１５及び出口搬送ローラ１６によりマスターＸが矢印方向に搬送される。前記乾燥・定着パネルヒータ１４の後半部表面には複数の押えローラ１７が配置され、これらの押えローラ１７によって乾燥されるマスターＸの裏面が乾燥・定着パネルヒータ１４の表面に密着されるのは従来と同様である。
【００１５】
本発明によれば、前記乾燥・定着パネルヒータ１４の表面は、マスターＸとは逆方向に歩進運動されるクリーニングウエブ２０で被覆される。乾燥・定着パネルヒータ１４の幅と略同じ幅をもつ同クリーニングウエブ２０は、耐熱性をもつ極薄の不織布、例えばアラミド／ポリエステル混成布、グラスウール繊維からなるもので、前記乾燥・定着パネルヒータ１４の出口側下部に配置されるウエブ元巻ボビン２０Ａから引き出される。
即ち、ウエブ元巻ボビン２０Ａから引き出されたクリーニングウエブ２０は、乾燥・定着パネルヒータ１４の表面に展開され、同乾燥・定着パネルヒータ１４の入口側下部のウエブ巻取ボビン２０Ｂに巻き取られる。
【００１６】
また、曲面状の乾燥・定着パネルヒータ１４に対するクリーニングウエブ２０の密着性を良好とするには、乾燥・定着パネルヒータ１４及びその両側に配置する２対のガイドローラ２２の平行度を微調整するだけで、幅のあるクリーニングウエブ２０を”シワ”を生じることなく、緊張状態におくことができる。
【００１７】
前記ウエブ元巻ボビン２０Ａに臨んでは支点軸２３で基部を定着装置フレーム１３に枢支されたブレーキシュー２４が設けられ、このブレーキシュー２４の先端部寄りの部分には付勢スプリング２５の自由端部が掛けられるから、同付勢スプリング２５の力により同ブレーキシュー２４の中間部がウエブ元巻ボビン２０Ａに巻かれたクリーニングウエブ２０に圧接され、同ウエブ元巻の緩みが同ブレーキシュー２４の作用により防止される。
【００１８】
図３及び図４は前述したウエブ巻取ボビン２０Ｂの駆動部を示し、同駆動部は定着装置フレーム１３の軸受２６に貫通状態におかれた回転可能な巻取軸２７を備えている。即ち、前記定着装置フレーム１３の内部に位置される同巻取軸２７のボビン取付端２７ａにはクリーニングウエブ２０を巻き取るウエブ巻取ボビン２０Ｂが支持され、また、定着装置フレーム１３の外部に突出状態におかれた同巻取軸２７の手動操作端２７ｂを摘むことにより、新たなクリーニングウエブ２０をセットする際に、巻取軸２７を強制的に回転操作できる。
【００１９】
前記定着装置フレーム１３の外面には固定ブラケット２８により電気信号により励磁できる電磁ソレノイド２９が固定され、この電磁ソレノイド２９のプランジャ２９ａは圧縮スプリング３０により戻り方向に付勢してある。そして、図４から理解されるように、前記巻取軸２７の中間部には、クラッチスリーブ３１ａの図３の反時計方向の回動運動のみを巻取軸２７に伝達できる第１ワンウエイクラッチ３１が支持され、この第１ワンウエイクラッチ３１の同クラッチスリーブ３１ａには回動部材３２が固定され、この回動部材３２の連結溝３３は前記プランジャ２９ａの先端にピン結合する連結部材３４の駆動ピン３５に係合してある。
したがって、電磁ソレノイド２９の励磁によりプランジャ２９ａが圧縮スプリング３０の力に抗して図３の左方向に駆動されると、連結部材３４を介して回動部材３２及びクラッチスリーブ３１ａが巻取軸２７を中心として一定角度だけ反時計方向に回動されるから、この回動部材３２の回動運動が第１ワンウエイクラッチ３１を介して巻取軸２７に伝達されることになる。
【００２０】
また、前記巻取軸２７の中間部には第１ワンウエイクラッチ３１に隣り合わされた第２ワンウエイクラッチ３６が取り付けられ、巻取軸２７の図３の反時計方向のみの強制回転を許容する同第２ワンウエイクラッチ３６のクラッチスリーブ３６ａは、前記定着装置フレーム１３の外面の取付ブラケット３７に固定される。
したがって、同第２ワンウエイクラッチ３６の存在により、第１ワンウエイクラッチ３１及び電磁ソレノイド２９に拘りなく、巻取軸２７の手動操作端２７ｂを摘んで巻取軸２７を強制的に回動できるから、巻取軸２７を介してウエブ巻取ボビン２０Ｂを反時計方向に強制回動できる。このため、新たなクリーニングウエブ２０を定着装置１１にセットする場合、迅速にクリーニングウエブ２０の弛みを除去して、乾燥・定着パネルヒータ１４に対してクリーニングウエブ２０を緊張状態におくことができる。
【００２１】
第１実施例による湿式製版機の定着装置１１は、以上のような構造であるから、電磁ソレノイド２９の間欠的な励磁によりクリーニングウエブ２０をマスターＸの移動方向とは逆方向に歩進送りされるから、汚れたクリーニングウエブ２０をウエブ巻取ボビン２０Ｂに巻き取って、乾燥・定着パネルヒータ１４の表面のクリーニングウエブ２０を常に新たなものに維持できる。
【００２２】
また、消費されたクリーニングウエブ２０を新たなものに取り換える場合は、２０Ａから繰り出したクリーニングウエブ２０を乾燥・定着パネルヒータ１４を経由して、巻取軸２７に支持されたウエブ巻取ボビン２０Ｂに引き取らせればよいが、この取り換え時のクリーニングウエブ２０の弛みは迅速かつ簡単に除去できる。つまり、ウエブ元巻ボビン２０Ａとウエブ巻取ボビン２０Ｂとの間にクリーニングウエブ２０を張った後、巻取軸２７の手動操作端２７ｂを摘んで、同巻取軸２７を強制的に反時計方向に回転すれば、クリーニングウエブ２０はウエブ巻取ボビン２０Ｂに自然に引き取られるから、乾燥・定着パネルヒータ１４の表面のクリーニングウエブ２０を緊張状態に簡単にセットできる。
換言すれば、ウエブ元巻ボビン２０Ａとウエブ巻取ボビン２０Ｂとの間にクリーニングウエブ２０を単に張った状態では、クリーニングウエブ２０の弛みしわにマスターＸの先端が引っ掛かって、”ジャム”なることがあるが、手動操作端２７ｂによる巻取軸２７の強制回動により、クリーニングウエブ２０を簡単に緊張状態におくことができるから、ユーザであっても、簡単にクリーニングウエブ２０を取り換えることができる。
【００２３】
図５及び図６は本発明の第２実施例による湿式製版機の定着装置１１Ａを示し、この実施例の特徴はウエブ巻取ボビン２０Ｂの巻径変化に拘りなく、電磁ソレノイド２９Ａの定期的な励磁により常に一定長さのクリーニングウエブ２０を歩進送りできる点にある。
【００２４】
第１実施例の場合と同様に、前記ウエブ元巻ボビン２０Ａに臨んでは支点軸２３Ａで基部を定着装置フレーム１３Ａに枢支されたブレーキシュー２４Ａが設けられ、このブレーキシュー２４Ａの先端部寄りの部分には付勢スプリング２５Ａの自由端部が掛けられるから、同付勢スプリング２５Ａの力により同ブレーキシュー２４Ａの中間部がウエブ元巻ボビン２０Ａに巻かれたクリーニングウエブ２０に圧接され、同ウエブ元巻の緩みが同ブレーキシュー２４Ａの作用により防止される。
【００２５】
図５及び図６の同駆動部は定着装置フレーム１３Ａの軸受２６Ａに貫通状態におかれた回転可能な巻取軸２７Ａを備えている点では第１実施例の場合と同様である。
第２実施例の場合、前記定着装置フレーム１３Ａの内部に位置される同巻取軸２７Ａのボビン取付端２７ａにはトルクリミッタ３８を介して円筒形のボビン受け３９が支持され、このボビン受け３９に対してクリーニングウエブ２０を巻き取るウエブ巻取ボビン２０Ｂが支持される。
なお、巻取軸２７Ａは、定着装置フレーム１３Ａの外部に突出状態におかれた同巻取軸２７Ａの手動操作端２７ｂを摘むことにより強制的に回転操作できる点でも第１実施例の場合と同様である。
【００２６】
第２実施例による湿式製版機の定着装置１１Ａの詳細を説明すると、前記定着装置フレーム１３Ａの外面には固定ブラケット２８Ａにより駆動用電磁ソレノイド２９Ａが固定され、この電磁ソレノイド２９Ａのプランジャ２９ａは圧縮スプリング３０Ａにより戻り方向に付勢してある。
そして、図６から理解されるように、前記巻取軸２７Ａの中間部には、クラッチスリーブ３１ａの図５の反時計方向の回動運動のみを巻取軸２７Ａに伝達できる第１ワンウエイクラッチ３１Ａが支持され、この第１ワンウエイクラッチ３１Ａの同クラッチスリーブ３１ａには回動部材３２Ａが固定され、この回動部材３２Ａの連結溝３３Ａは前記プランジャ２９ａの先端にピン結合する連結部材３４Ａの駆動ピン３５Ａに係合してある。
したがって、電磁ソレノイド２９Ａの励磁によりプランジャ２９ａが圧縮スプリング３０Ａの力に抗して図５の左方向に駆動されると、連結部材３４Ａを介して回動部材３２Ａ及びクラッチスリーブ３１ａが巻取軸２７Ａを中心として一定角度だけ反時計方向に回動されるから、この回動部材３２Ａの回動運動が第１ワンウエイクラッチ３１Ａを介して巻取軸２７Ａに伝達されることになるが、同巻取軸２７Ａとボビン受け３９との間にトルクリミッタ３８が介装してあるため、巻取軸２７Ａの一定トルク以上の回転力はウエブ巻取ボビン２０Ｂには伝達されない。
【００２７】
また、前記巻取軸２７Ａの中間部には第１ワンウエイクラッチ３１Ａに隣り合わされた第２ワンウエイクラッチ３６Ａが取り付けられ、巻取軸２７Ａの図５の反時計方向のみの強制回転を許容する同第２ワンウエイクラッチ３６Ａのクラッチスリーブ３６ａは、前記定着装置フレーム１３Ａの外面の取付ブラケット３７Ａに固定されるので、第１ワンウエイクラッチ３１Ａ及び電磁ソレノイド２９Ａに拘りなく、巻取軸２７Ａの手動操作端２７ｂを摘んで巻取軸２７Ａを強制的に回動できるから、新たなクリーニングウエブ２０を定着装置１１Ａにセットする場合、迅速にクリーニングウエブ２０の弛みを除去して、乾燥・定着パネルヒータ１４に対してクリーニングウエブ２０を緊張状態におくことができる。
【００２８】
一方、クリーニングウエブ２０を一定ピッチずつ歩進させるため、前記巻取軸２７Ａの中間部には小径の駆動側スプロケット４０が、また、中継ローラ２１Ａの中心軸には大径の従動側スプロケット４１が固定され、これらの駆動側スプロケット４０と従動側スプロケット４１との間に掛け渡したタイミングベルト４２により中継ローラ２１Ａが減速された速度で図５の反時計方向に間欠的に歩進運動される。
【００２９】
第２実施例による湿式製版機の定着装置１１Ａは、以上のような構造であるから、消費されたクリーニングウエブ２０を新たなものに取り換える場合は、ウエブ元巻ボビン２０Ａから繰り出したクリーニングウエブ２０を乾燥・定着パネルヒータ１４、中継ローラ２１Ａ、乾燥・定着パネルヒータ１４を経由して、巻取軸２７に支持されたウエブ巻取ボビン２０Ｂに引き取らせればよいが、この場合、ウエブ元巻ボビン２０Ａとウエブ巻取ボビン２０Ｂとの間にクリーニングウエブ２０を張った後、巻取軸２７Ａの手動操作端２７ｂを摘んで、同巻取軸２７Ａを強制的に反時計方向に回転すれば、クリーニングウエブ２０はウエブ巻取ボビン２０Ｂに自然に引き取られるから、乾燥・定着パネルヒータ１４の表面のクリーニングウエブ２０を緊張状態に簡単にセットできる。
【００３０】
湿式製版機の定着装置１１Ａの運転中、電磁ソレノイド２９Ａが間欠的に励磁されると、この電磁ソレノイド２９Ａのプランジャ２９ａの運動は、第１ワンウエイクラッチ３１Ａを介して、ボビン受け３９及び駆動側スプロケット４０に伝達されることになるが、駆動側スプロケット４０の反時計方向の回動運動はタイミングベルト４２及び従動側スプロケット４１を介して中継ローラ２１Ａに伝達され、この中継ローラ２１Ａの減速された回動運動によりクリーニングウエブ２０が一定寸法ずつウエブ巻取ボビン２０Ｂの方向に送られる。
【００３１】
これと同時に、巻取軸２７Ａの間欠的な回動運動を伝えられたボビン受け３９によりウエブ巻取ボビン２０Ｂも反時計方向に間欠的に回動されるけれども、巻取軸２７Ａのボビン取付端２７ａとボビン受け３９との間には一定トルク以上のトルク伝達を阻止するトルクリミッタ３８が存在するので、同トルクリミッタ３８の内部での滑り運動で、ウエブ巻取ボビン２０Ｂは中継ローラ２１Ａの歩進送り分だけのクリーニングウエブ２０を巻き取ることになる。
【００３２】
この結果、第２実施例の湿式製版機の定着装置１１Ａによると、ウエブ巻取ボビン２０Ｂの巻径に拘りなく、クリーニングウエブ２０を一定ピッチずつ歩進できるから、ウエブ巻取ボビン２０Ｂやウエブ元巻ボビン２０Ａの巻径変化の影響を受けずに、常に一定割合のクリーニングウエブ２０を乾燥・定着パネルヒータ１４や乾燥・定着パネルヒータ１４に供給して、クリーニングウエブ２０の汚れ状態を充分に管理できる。
【００３３】
【発明の効果】
以上の説明から明らかなように、請求項１記載の本発明によれば、クリーニングウエブの取り換え時やセット時に、巻取軸を手動操作するだけで、クリーニングウエブの弛みを簡単かつ迅速に除去できる比較的小型の湿式製版機の定着装置を得ることができる。
また、請求項２記載の発明によれば、比較的小型で、ウエブ巻取ボビンやウエブ元巻ボビンの巻径の変化に拘りなく、電磁ソレノイドの間欠的な励磁により一定ピッチずつのクリーニングウエブを歩進送りできる浄化能力に優れた構造を提供できる。
【図面の簡単な説明】
【図１】本発明を施した湿式製版機の断面図である。
【図２】本発明の第１実施例による定着装置の断面図である。
【図３】一部を切欠いて示す同定着装置の要部拡大正面図である。
【図４】図３の４−４線に沿う拡大断面図である。
【図５】本発明の第２実施例による定着装置の一部拡大正面図である。
【図６】図５の６−６線に沿う同定着装置の拡大断面図である。
【図７】従来の定着装置の断面図である。
【符号の説明】
Ｘ          マスター
１３，１３Ａ  定着装置フレーム
１４          乾燥・定着パネルヒータ
１５          入口搬送ローラ
１６          出口搬送ローラ
２０          クリーニングウエブ
２０Ａ        ウエブ元巻ボビン
２０Ｂ        ウエブ巻取ボビン
２１Ａ        中継ローラ
２６，２６Ａ  軸受
２７，２７Ａ  巻取軸
２７ａ        ボビン取付端
２７ｂ        手動操作端
２９，２９Ａ  電磁ソレノイド
３１，３１Ａ  第１ワンウエイクラッチ
３２，３２Ａ  回動部材
３６，３６Ａ  第２ワンウエイクラッチ
３８          トルクリミッタ
３９          ボビン受け
４０          駆動側スプロケット
４１          駆動側スプロケット
４２          タイミングベルト
【図１】
0003785801.tif 000002
【図２】
0003785801.tif 000003
【図３】
0003785801.tif 000004
【図４】
0003785801.tif 000005
【図５】
0003785801.tif 000006
【図６】
0003785801.tif 000007
【図７】
0003785801.tif 000008